(57)【要約】【課題】  平面状の陶磁器基板等をマウスパッドとして使用した場合であっても、光学式マウスがその移動方向と移動距離を正確に検出することが可能なマウスパッドを提供することを課題とする。【解決手段】  平面状の陶磁器基板３１の上面に光触媒層３２を形成してマウスパッド３０とする。このようにすることによって、平面状の陶磁器をマウスパッドとして使用した場合であっても、光学式マウスがその移動方向と移動距離を正確に検出することが可能となる。【選択図】図２
2006134027.tif 000002
【特許請求の範囲】
【請求項１】
平面状の陶磁器基板と、
該陶磁器基板上に形成された光触媒層と
を有することを特徴とするマウスパッド。
【請求項２】
前記光触媒層は、ペルオキソ改質アナターゼゾル、もしくは該ペルオキソ改質アナターゼゾルと所定の溶液とからなる混合液を前記陶磁器基板上に被膜および乾燥させてなることを特徴とする請求項１記載のマウスパッド。
【請求項３】
前記所定の溶液は、ペルオキソチタン酸水溶液であることを特徴とする請求項２記載のマウスパッド。
【請求項４】
前記光触媒層は、ペルオキソチタン酸水溶液、もしくは該ペルオキソチタン酸水溶液と所定の溶液とからなる混合液を前記陶磁器基板上に被膜および乾燥させた後に、前記ペルオキソチタン酸水溶液に含まれている非結晶状態の酸化チタンを加熱によりアナターゼ型に結晶化させてなることを特徴とする請求項１記載のマウスパッド。
【請求項５】
平面状の光沢性基板と、
該光沢性基板の上に形成された光触媒層と
を有することを特徴とするマウスパッド。
【発明の詳細な説明】
【技術分野】
【０００１】
本発明は、コンピュータの入力デバイスであるマウスを動かす場合に下敷きとして用いられるマウスパッドに関するもので、より詳しくは、平面状の陶磁器基板や光沢性基板を用いた場合であっても、光学式マウスがその移動方向と移動距離を正確に検出することを可能としたマウスパッドに関するものである。
【背景技術】
【０００２】
マウスパッドは、コンピュータの入力手段であるマウスの下に敷いて使用されるものであり、マウスの移動方向と移動距離の検出精度を向上させるために広く使用されている。マウスパッドの基板としては、プラスチックもしくはゴムが一般的であるが、最近では、大理石や陶磁器等のインテリア性の高いものも用いられることもある。
【０００３】
一方、マウスは、マウスの移動方向と移動距離を検出する機構の違いにより、筐体内のボールを転がすボール式マウスと、筐体から光を照射する光学式マウスの二通りに分類される。特に、光学式マウスは、筐体内の光源からマウスパッドに入射光を照射し、反射光を受光することによりマウスの移動方向と移動距離を検出する入力装置である。また、光学式マウスは、既存のボール式マウスと比較して、マウスの動きの検出精度が高く、かつメンテナンスフリーであるため、近年その使用が増えてきている。
【０００４】
ところが、平面状の陶磁器の上で光学式マウスを使用した場合、光学式マウスはその移動方向と移動距離を正確に検出できないという問題があった。
【０００５】
陶磁器をマウスパッドとして用いる方法としては、陶磁器を厚みが７ｍｍ以下の平面板状とし、表面に凹凸を形成し、端面に亀裂発生防止のための保護コーティングを施すとする技術が提案されている。この方法によると、陶磁器製のマウスパッドは厚すぎると違和感があるため、その上限は７ｍｍであるとしている。しかしながら、この方法は、陶磁器のマウスパッドとして使用しやすい形状を提案したにすぎない。
【０００６】
マウスパッドに機能性を持たせる方法としては、透光性の基板に、可視光領域の反射率の小さい可視光透過層を形成してマウスパッドとする技術が提案されている。このマウスパッドは、マウスパッドの下に敷かれた図面を確認しながら、光学式マウスを操作することを可能としている。この方法によると、可視光透過層は、ＺｒＯ２、ＴｉＯ２、ＩｎＯ２、ＣｄＳ、ＣｄＳｅ、ＣｅＯ２、ＨｆＯ２、Ｉｎ２Ｏ３、ＳｎＯ２、ＭｇＯ、ＳｉＯ、Ｔａ２Ｏ５、Ｙ２Ｏ３、ＺｎＳｅ、ＺｎＳおよびＺｒＴｉＯ４のいずれかの高屈折率材料を含む高屈折率層であり、可視光を通過させ、赤外線もしくは紫外線を反射するとしている。したがって、この方法によるマウスパッドは、赤外線もしくは紫外線によりマウスの移動を検出する特別な光学式マウスを必要とし、可視光領域の光を用いた一般的な光学式マウスに使用することができない。
【特許文献１】特開２００１−３１２３６６号公報
【特許文献２】特開平５−３４６８３５号公報
【発明の開示】
【発明が解決しようとする課題】
【０００７】
上述したように、陶磁器をマウスパッドとして使用した場合、光学式マウスは、その移動方向と移動距離を正確に検出できないという問題がある。したがって、本発明は、平面状の陶磁器をマウスパッドとして使用した場合であっても、光学式マウスがその移動方向と移動距離を正確に検出することが可能な陶磁器製のマウスパッドを提供することを課題とする。
【課題を解決するための手段】
【０００８】
上記課題を解決するために、本発明に係るマウスパッドは、平面状の陶磁器基板と、該陶磁器基板上に形成された光触媒層とを有することを特徴とする。このような構成とすることで、本発明に係るマウスパッドが光学式マウスの下に敷いて用いられた場合であっても、光学式マウスはその移動方向と移動距離を正確に検出することが可能となる。
【０００９】
また、上記構成において、前記光触媒層は、ペルオキソ改質アナターゼゾル、もしくは該ペルオキソ改質アナターゼゾルと所定の溶液とからなる混合液を前記陶磁器基板上に被膜および乾燥させてなるとすることができる。このようにすることによって、陶磁器基板上に効率良く均一な光触媒層を形成することが可能となる。
【００１０】
また、上記構成において、前記所定の溶液は、ペルオキソチタン酸水溶液であるとすることができる。このようにすることによって、陶磁器基板との密着性の良い光触媒層を形成することが可能となる。
【００１１】
また、上記構成において、前記光触媒層は、ペルオキソチタン酸水溶液、もしくは該ペルオキソチタン酸水溶液と所定の溶液とからなる混合液を前記陶磁器基板上に被膜および乾燥させた後に、前記ペルオキソチタン酸水溶液に含まれている非結晶状態の酸化チタンを加熱によりアナターゼ型に結晶化させてなるとすることができる。このようにすることによって、陶磁器基板上に効率良く均一な光触媒層を形成することが可能となるとともに、陶磁器基板との密着性の良い光触媒層を形成することが可能となる。
【００１２】
また、本発明は陶磁器基板に限らず、他の光沢性基板について光触媒層を形成したものであっても良い。光沢性基板の一例としては、それぞれ表面が光沢面とされた、金属製、ガラス製、石製、木製、紙製、合成樹脂製などの各種基板を用いることができる。
【発明の効果】
【００１３】
本発明に係るマウスパッドによると、平面状の陶磁器基板の上面に光触媒層を形成するとしたことで、陶磁器をマウスパッドとして用いた場合であっても、光学式マウスはその移動方向と移動距離を正確に検出することが可能となる。また、光触媒層による光触媒機能をマウスパッドに付加することが可能となる。
【００１４】
また、本発明に係るマウスパッドによると、平面状の光沢性基板の上面に光触媒層を形成するとしたことで、光沢性基板をマウスパッドとして用いた場合であっても、光学式マウスはその移動方向と移動距離を正確に検出することが可能となる。また、光触媒層による光触媒機能をマウスパッドに付加することが可能となる。
【発明を実施するための最良の形態】
【００１５】
以下に、本発明に係るマウスパッドの実施の形態について、図を参照しながら詳細に説明する。
【００１６】
図１は、本実施形態におけるマウスパッドの概略説明図である。マウスパッド１０は、平面状の陶磁器基板１１と、陶磁器基板１１の上面に形成された光触媒機能を有する光触媒層１２とからなる。
【００１７】
陶磁器基板１１は、陶磁器をつくるための所定の粘土に対して、素焼き、施釉、本焼き等からなる公知の手順を施して形成された平面状の一般的な陶磁器である。また、陶磁器基板１１の形状は、マウスが平面移動できる程度に平面状であれば、どのような形状であっても良く、一部の厚みがぶ厚く形成されていたり、全体的に平板状であっても良く、一部が平板状であっても良い。陶磁器基板１１は所要の大きさで全体的な剛性を保つ程度の厚みで形成される。一般的に陶磁器は白色や粘度の色を反映した色を有するが、所要の絵付けしたものや、特殊なコーティングを施した陶磁器基板を用いても良い。特に陶磁器基板１１としては絵柄が付された有田焼、伊万里焼、唐津焼、白石焼などの各種の陶器を用いることが可能である。
【００１８】
光触媒層１２は、陶磁器基板１１の上面に所定の厚さで形成された、アナターゼ型酸化チタンを含むコーティング層である。このような光触媒層１２は、ペルオキソ改質アナターゼゾル、もしくはペルオキソ改質アナターゼゾルと所定の溶液との混合液をディップ法、スプレー法、スパッタ法、スピンコータ法などの公知の方法により陶磁器基板１１上に被膜および乾燥させることにより、効率良く且つ均一に形成することが可能となる。また、ペルオキソ改質アナターゼゾルとペルオキソチタン酸水溶液との混合液を用いることにより、陶磁器基板１１との密着性が良い光触媒層１２を形成することが可能となる。
【００１９】
また、光触媒層１２を、ペルオキソチタン酸水溶液、もしくはペルオキソチタン酸水溶液と所定の溶液との混合液をディップ法、スプレー法、スパッタ法、スピンコータ法などの公知の方法により陶磁器基板１１上に被膜および乾燥させた後に、ペルオキソチタン酸水溶液に含まれる非結晶状態の酸化チタンを加熱によりアナターゼ型に結晶化させて形成した場合は、上述のペルオキソ改質アナターゼゾルを被膜および乾燥させて光触媒層１２を形成した場合よりも、陶磁器基板１１との密着性が良い光触媒層１２を形成することが可能となる。なお、ペルオキソチタン酸水溶液を用いる際の加熱の目安は、２５０℃以上から８００℃未満である。
【００２０】
このように、陶磁器基板１１の上面に光触媒層１２を形成してマウスパッド１０とすることにより、光学式マウスを使用した場合であっても、光学式マウスがその移動方向と移動距離を正確に検出することが可能となる。これは、どのようなメカニズムによるものかは必ずしも明確ではないが、光触媒層１２の表面で反射する光には、単純な光沢面の表面とは違って、乱反射を防ぎながらマウスの移動に従って微視的な強弱が現れるものと考えられ、純粋な鏡面上でマウスを操作した場合におけるスリップ感がなくなって確実にマウスが操作されることがわかる。また、陶磁器基板１１の上面に光触媒層１２を形成していることから、抗菌、防臭や汚れなどに対する耐性が向上しており、長期間の使用にも便宜である。また、光触媒層１２は光透過性の材料層であることから、陶磁器基板１１が有する風合いと質感を損なわず、陶磁器基板１１の外観変化を最小限に抑えることができ、例えば絵付けされた面で光学式マウスを使用する場合であっても、マウスの不使用時などでは陶磁器基板１１の絵付け面を鑑賞するようにすることも可能である。
【実施例】
【００２１】
以下に実施例を示し、本発明をさらに説明する。
【００２２】
図２は、本実施例の概略説明図である。平面状の一般的な陶磁器からなる陶磁器基板３１の上面に、光触媒機能を有する光触媒層３２を形成してマウスパッド３０とした。本実施例では、マウスパッド３０上に一般的な光学式マウス２０を配置して、光学式マウス２０の移動方向と移動距離を正確に検出できる。
【００２３】
本実施例において光触媒層３２は、粒径５０ナノメートル以下のアナターゼ型酸化チタンの微粒子を濃度０．８５重量パーセントで含むペルオキソ改質アナターゼゾルをスプレー法により陶磁器基板３１上に塗布および乾燥させて形成する。また、光触媒層３２の厚さは、一例としておよそ０．１マイクロメートルとする。
【００２４】
使用した光学式マウス２０は、マウスパッド３０に光を照射する発光部２１と、発光部２１から照射された光をマウスパッド３０に導くプリズム２２と、マウスパッド３０からの反射光を集光するレンズ２３と、反射光を受光して光学式マウス２０の動きを検出するセンサ２４と、使用者がクリックするためのボタン２５等から構成される一般的な光学式マウスである。
【００２５】
また、光学式マウス２０は、画像表示装置を有する図示しないパーソナルコンピュータに情報通信可能に接続されており、光学式マウス２０の移動方向と移動距離の検出状況は、画像表示装置を介して容易に確認することができる。
【００２６】
以上のような条件で光学式マウス２０を使用したところ、光学式マウス２０はその移動方向と移動距離を正確に検出することが可能であることが確認されている。
【００２７】
以上、本発明に係るマウスパッドの実施の形態について説明した。なお本発明は、以上の実施の形態に限定されるものではなく、本発明の要旨を逸脱しない範囲において各構成要素を適宜変更可能である。また、上述の実施形態では基板を陶磁器基板として説明したがこれに限らず、他の光沢性基板について光触媒層を形成したものであっても良い。光沢性基板の一例としては、それぞれ表面が光沢面とされた、金属製、ガラス製、石製、木製、紙製、合成樹脂製などの各種基板を用いることができ、これらの基板に光触媒層を設けても同様に、光触媒層の抗菌、防臭、汚れ防止などの機能と共に、光学式マウスの移動方向と移動距離を正確に検出することが可能である。
【図面の簡単な説明】
【００２８】
【図１】本発明の実施形態におけるマウスパッドの概略説明図である。
【図２】本発明のマウスパッドの実施例を示す概略説明図である。
【符号の説明】
【００２９】
１０、３０...マウスパッド
１１、３１...陶磁器基板
１２、３２...光触媒層
２０...光学式マウス
２１...発光部
２２...プリズム
２３...レンズ
２４...センサ
２５...ボタン
【図１】
2006134027.tif 000003
【図２】
2006134027.tif 000004